(57)【要約】【課題】本発明では、記録されたデータの真正性を簡便に証明することができる記録媒体カートリッジおよびその記録再生装置を提供することを課題とする。【解決手段】磁気テープカートリッジ１のカートリッジメモリ２には、磁気テープＭＴに記録されたデータＤ１のＣＲＣコードＣ１が書換不能な状態で記録されている。そして、記録再生装置３は、その再生時に磁気テープＭＴからのＣＲＣコードＣ１とカートリッジメモリ２からのＣＲＣコードＣ１を比較し、その比較結果に基づいてデータＤ１の真正性を証明する。【選択図】　　　　図３
2004087000.tif 000002
【特許請求の範囲】
【請求項１】
記録媒体とカートリッジメモリとを備えて構成される記録媒体カートリッジであって、
前記記録媒体に記録されたデータから生成されるＣＲＣコードを、前記カートリッジメモリに書換不能な状態で記録させたことを特徴とする記録媒体カートリッジ。
【請求項２】
記録媒体とカートリッジメモリとを備えて構成される記録媒体カートリッジであって、
前記記録媒体に記録されたデータから生成されるＣＲＣコードと、前記データのアドレスとに基づいて生成されたＣＲＣコードを、前記カートリッジメモリに書換不能な状態で記録させたことを特徴とする記録媒体カートリッジ。
【請求項３】
記録媒体とカートリッジメモリとを備えて構成される記録媒体カートリッジであって、
前記カートリッジメモリのシリアルナンバーと、前記記録媒体に記録されたデータから生成されるＣＲＣコードとに基づいて生成されたＣＲＣコードを、前記カートリッジメモリに書換不能な状態で記録させたことを特徴とする記録媒体カートリッジ。
【請求項４】
請求項１に記載された記録媒体カートリッジの記録再生を行うための記録再生装置であって、
前記記録媒体に記録されたデータから生成されるＣＲＣコードと、前記カートリッジメモリに記録された前記データに対応するＣＲＣコードとを比較するＣＲＣコード比較手段と、
このＣＲＣコード比較手段での比較結果に基づいて前記記録媒体に記録されたデータの真正性を判定する真正性判定手段とを備えることを特徴とする記録再生装置。
【請求項５】
請求項２に記載された記録媒体カートリッジの記録再生を行うための記録再生装置であって、
前記記録媒体に記録されたデータから生成されるＣＲＣコードと、前記データのアドレスとに基づいてＣＲＣコードを生成するＣＲＣコード生成手段と、
前記ＣＲＣコード生成手段によって生成されたＣＲＣコードを前記カートリッジメモリに書換不能な状態で記録させるＣＲＣコード記録手段と、
前記記録媒体カートリッジの再生時に前記ＣＲＣコード生成手段によって生成されるＣＲＣコードと、前記カートリッジメモリに記録されたＣＲＣコードとを比較するＣＲＣコード比較手段と、
このＣＲＣコード比較手段の比較結果に基づいて前記記録媒体に記録されたデータの真正性を判定する真正性判定手段とを備えることを特徴とする記録再生装置。
【請求項６】
請求項３に記載された記録媒体カートリッジの記録再生を行うための記録再生装置であって、
前記記録媒体に記録されたデータから生成されるＣＲＣコードと、前記カートリッジメモリのシリアルナンバーとに基づいてＣＲＣコードを生成するＣＲＣコード生成手段と、
前記ＣＲＣコード生成手段によって生成されたＣＲＣコードを前記カートリッジメモリに書換不能な状態で記録させるＣＲＣコード記録手段と、
前記記録媒体カートリッジの再生時に前記ＣＲＣコード生成手段によって生成されるＣＲＣコードと、前記カートリッジメモリに記録されたＣＲＣコードとを比較するＣＲＣコード比較手段と、
このＣＲＣコード比較手段の比較結果に基づいて前記記録媒体に記録されたデータの真正性を判定する真正性判定手段とを備えることを特徴とする記録再生装置。
【発明の詳細な説明】
【０００１】
【発明の属する技術分野】
本発明は、カートリッジメモリ（非接触式メモリ）を備えた記録媒体カートリッジおよびその記録再生装置に関するものである。
【０００２】
【従来の技術】
従来、磁気テープカートリッジ（記録媒体カートリッジ）は、記録媒体である磁気テープの他に、その磁気テープカートリッジ固有の情報（製造番号、使用履歴等）を記録するためのカートリッジメモリを備えている。このようなカートリッジメモリは、電磁誘導により非接触で電力や信号の授受ができることから、磁気テープカートリッジのカートリッジケース内に収納されている（たとえば、特許文献１参照）。
【０００３】
【特許文献１】
特開２００１−３３２０６４号公報（第２頁、第７，８図）
【０００４】
【発明が解決しようとする課題】
ところで、従来の磁気テープカートリッジは、データの記録再生・修正を繰り返し行えるように設定されているため、そのデータの真正性（改ざんされているか否か）を簡便に証明することが困難であった。特に、医療や法律等の分野では、磁気テープカートリッジに記録されたデータの真正性を保証することが求められており、そのデータの真正性を簡便に証明する必要があった。
【０００５】
そこで、本発明の課題は、記録されたデータの真正性を簡便に証明することができる記録媒体カートリッジおよびその記録再生装置を提供することにある。
【０００６】
【課題を解決するための手段】
前記課題を解決した本発明のうちの請求項１に記載の発明は、記録媒体とカートリッジメモリとを備えて構成される記録媒体カートリッジであって、前記記録媒体に記録されたデータから生成されるＣＲＣコードを、前記カートリッジメモリに書換不能な状態で記録させたことを特徴とする。
【０００７】
請求項１に記載の発明によれば、この記録媒体カートリッジには、改ざんされたくないデータのＣＲＣコードが書換不能な状態でカートリッジメモリに記録されるので、このＣＲＣコードと記録媒体に記録されたデータのＣＲＣコードを比較するだけで改ざんされているか否かを知ることができる。具体的に、たとえば記録媒体カートリッジの再生時において、その記録再生装置は記録媒体に記録されたデータのＣＲＣコードを読み取るとともに、カートリッジメモリに記録されたＣＲＣコードも読み取る。そして、これらのＣＲＣコードを比較して、一致した場合はデータが改ざんされていないことになり、一致しない場合はデータが改ざんされていることになる。
【０００８】
請求項２に記載の発明は、記録媒体とカートリッジメモリとを備えて構成される記録媒体カートリッジであって、前記記録媒体に記録されたデータから生成されるＣＲＣコードと、前記データのアドレスとに基づいて生成されたＣＲＣコードを、前記カートリッジメモリに書換不能な状態で記録させたことを特徴とする。
【０００９】
請求項２に記載の発明によれば、たとえば記録媒体カートリッジの再生時において、その記録再生装置は記録媒体に記録されたデータのＣＲＣコードと、そのアドレスとしてＬＰＯＳを読み取り、これらからＣＲＣコードを生成する。そして、この生成したＣＲＣコードと、カートリッジメモリから読み取ったＣＲＣコードとを比較して、一致した場合はデータが改ざんされていないことになり、一致しない場合はデータが改ざんされていることになる。
【００１０】
請求項３に記載の発明は、記録媒体とカートリッジメモリとを備えて構成される記録媒体カートリッジであって、前記カートリッジメモリのシリアルナンバーと、前記記録媒体に記録されたデータから生成されるＣＲＣコードとに基づいて生成されたＣＲＣコードを、前記カートリッジメモリに書換不能な状態で記録させたことを特徴とする。
【００１１】
請求項３に記載の発明によれば、たとえば記録媒体カートリッジの再生時において、その記録再生装置は記録媒体に記録されたデータのＣＲＣコードと、カートリッジメモリに記録されたシリアルナンバーを読み取り、これらからＣＲＣコードを生成する。そして、この生成したＣＲＣコードと、カートリッジメモリから読み取ったＣＲＣコードとを比較して、一致した場合はデータが改ざんされていないことになり、一致しない場合はデータが改ざんされていることになる。
【００１２】
請求項４に記載の発明は、請求項１に記載された記録媒体カートリッジの記録再生を行うための記録再生装置であって、前記記録媒体に記録されたデータから生成されるＣＲＣコードと、前記カートリッジメモリに記録された前記データに対応するＣＲＣコードとを比較するＣＲＣコード比較手段と、このＣＲＣコード比較手段での比較結果に基づいて前記記録媒体に記録されたデータの真正性を判定する真正性判定手段とを備えることを特徴とする。
【００１３】
請求項４に記載の発明によれば、この記録再生装置は、再生時に記録媒体からデータのＣＲＣコードを読み取るとともに、カートリッジメモリからＣＲＣコードを読み取る。そして、この記録再生装置は、そのＣＲＣコード比較手段によりこれらのＣＲＣコードを比較し、その真正性判定手段によりそれらが一致した場合はデータが改ざんされていないと判定し、一致しない場合はデータが改ざんされたと判定する。
【００１４】
請求項５に記載の発明は、請求項２に記載された記録媒体カートリッジの記録再生を行うための記録再生装置であって、前記記録媒体に記録されたデータから生成されるＣＲＣコードと、前記データのアドレスとに基づいてＣＲＣコードを生成するＣＲＣコード生成手段と、前記ＣＲＣコード生成手段によって生成されたＣＲＣコードを前記カートリッジメモリに書換不能な状態で記録させるＣＲＣコード記録手段と、前記記録媒体カートリッジの再生時に前記ＣＲＣコード生成手段によって生成されるＣＲＣコードと、前記カートリッジメモリに記録されたＣＲＣコードとを比較するＣＲＣコード比較手段と、このＣＲＣコード比較手段の比較結果に基づいて前記記録媒体に記録されたデータの真正性を判定する真正性判定手段とを備えることを特徴とする。
【００１５】
請求項５に記載の発明によれば、この記録再生装置は、たとえば再生時に記録媒体からデータのＣＲＣコードとそのアドレスとしてＬＰＯＳを読み取り、これらからＣＲＣコードをＣＲＣコード生成手段により生成する。そして、この記録再生装置は、生成したＣＲＣコードと、カートリッジメモリから読み取ったＣＲＣコードとを比較して、それらが一致した場合はデータが改ざんされていないと判定し、一致しない場合はデータが改ざんされたと判定する。
【００１６】
請求項６に記載の発明は、請求項３に記載された記録媒体カートリッジの記録再生を行うための記録再生装置であって、前記記録媒体に記録されたデータから生成されるＣＲＣコードと、前記カートリッジメモリのシリアルナンバーとに基づいてＣＲＣコードを生成するＣＲＣコード生成手段と、前記ＣＲＣコード生成手段によって生成されたＣＲＣコードを前記カートリッジメモリに書換不能な状態で記録させるＣＲＣコード記録手段と、前記記録媒体カートリッジの再生時に前記ＣＲＣコード生成手段によって生成されるＣＲＣコードと、前記カートリッジメモリに記録されたＣＲＣコードとを比較するＣＲＣコード比較手段と、このＣＲＣコード比較手段の比較結果に基づいて前記記録媒体に記録されたデータの真正性を判定する真正性判定手段とを備えることを特徴とする。
【００１７】
請求項６に記載の発明によれば、この記録再生装置は、たとえば再生時に記録媒体からデータのＣＲＣコードを読み取るとともに、カートリッジメモリからそのシリアルナンバーを読み取り、これらからＣＲＣコードをＣＲＣコード生成手段により生成する。そして、この記録再生装置は、生成したＣＲＣコードと、カートリッジメモリから読み取ったＣＲＣコードとを比較して、それらが一致した場合はデータが改ざんされていないと判定し、一致しない場合はデータが改ざんされたと判定する。
【００１８】
【発明の実施の形態】
〔第１の実施形態〕
以下、図面を参照して、本発明に係る記録媒体カートリッジおよびその記録再生装置の詳細について説明する。なお、本実施形態では、記録媒体カートリッジの一例として磁気テープカートリッジについて説明する。
【００１９】
図１に示すように、磁気テープカートリッジ（記録媒体カートリッジ）１は、上ハーフ１Ａと下ハーフ１Ｂとに分割構成され、その内部にデータを記録するための磁気テープ（記録媒体）ＭＴと、カートリッジメモリ２を主に備えている。
このカートリッジメモリ２は、全体が矩形の薄片形状をした電子部品であり、樹脂からなる封止剤であるグローブトップ２ｃの中に封入された図示しないＩＣチップをその本体とし、このＩＣチップが基板２ａの上にプリントされたループアンテナ２ｂに配線されて構成されている。
【００２０】
磁気テープＭＴには、図２に示すように、データＤ１，Ｄ２，・・・が記録されている。データＤ１には、その内容に基づいたＣＲＣ（Ｃｙｃｌｉｃ　Ｒｅｄｕｎｄａｎｃｙ　Ｃｈｅｃｋｉｎｇ）コードＣ１が隣接して記録されている。そして、これらのデータＤ１とＣＲＣコードＣ１が磁気テープＭＴに記録されると、これらの両端の位置を表わすＬＰＯＳ（Ｌｏｎｇｉｔｕｄｉｎａｌ　Ｐｏｓｉｔｉｏｎ　Ｏｆ　Ｓｉｇｎａｌ）であるスタート部Ｌ１とエンド部Ｌ２が決まることになる。また、その他のデータＤ２，・・・もデータＤ１と略同様な構造となっている。なお、本実施形態においては、これらのデータＤ１，Ｄ２，・・・のうちデータＤ１のみの真正性を証明する形態について以下に説明することとする。
【００２１】
ここで、「ＣＲＣコード」とは、いわゆる巡回冗長符号であり、データを特定の定数（ＣＲＣ生成多項式）で割り算したときの剰余のことを言う。具体的に、この実施形態では、データＤ１をいくつかに分割し、このように分割したデータのうちの一つをＣＲＣ生成多項式で割って余りを求め、その余りを次のデータに加えたものをＣＲＣ生成多項式で更に割るといったことを順次行うことにより得られる最後に残った余りがＣＲＣコードＣ１となる。たとえば、磁気テープＭＴ上に記録されたデータＤ１が「０１　０２　０３　０４　０５　０６　０７　０８０９　０Ａ　０Ｂ　０Ｃ　０Ｄ　０Ｅ　０Ｆ」であり、これを特定の定数で割った場合、生成されるＣＲＣコードＣ１は「Ｅ７　３６　６４　５Ｃ」となる。また、「ＬＰＯＳ」とは、一般に磁気テープＭＴの端縁近傍に書き込まれるサーボ信号に基づいて算出される信号であり、データＤ１の磁気テープＭＴの長手方向における位置を表している。さらに、データＤ１の改ざんは更に新たなデータが加えられるようにして行われるため、このＬＰＯＳは、データＤ１が改ざんされるとその値が必ず変化するようになっている。
【００２２】
図３に示すように、記録再生装置３は、ＣＲＣコード生成手段３１と、磁気テープＭＴへの記録再生を行うためのテープ側記録手段３２およびテープ側読取手段３３と、カートリッジメモリ２への記録再生を行うメモリ側記録手段（ＣＲＣコード記録手段）３４およびメモリ側読取手段３５とを主に備えている。また、この記録再生装置３は、磁気テープＭＴに記録されたＣＲＣコードＣ１とカートリッジメモリ２に記録されたＣＲＣコードＣ１とを比較するＣＲＣコード比較手段３６と、このＣＲＣコード比較手段３６の比較結果に基づいて磁気テープＭＴに記録されたデータＤ１の真正性を判定する真正性判定手段３７とを備えている。さらに、この記録再生装置３には、磁気テープカートリッジ１に記録するためのデータＤ１，Ｄ２，・・・を外部から入力し、かつ真正性判定手段３７から出力される信号に基づいてその結果を外部に認識させるための外部コンピュータ４が接続されている。
【００２３】
ＣＲＣコード生成手段３１は、外部コンピュータ４から入力されるデータＤ１からＣＲＣコードＣ１を生成している。テープ側記録手段３２は、このＣＲＣコード生成手段３１で生成されたＣＲＣコードＣ１をデータＤ１とともに磁気テープＭＴに記録している。テープ側読取手段３３は、磁気テープＭＴに記録されたデータＤ１をＣＲＣコードＣ１とともに読み取り、このうちＣＲＣコードＣ１のみをＣＲＣコード比較手段３６に出力し、その他のデータＤ１等を外部コンピュータ４に出力している。
【００２４】
メモリ側記録手段３４は、ＣＲＣコード生成手段３１で生成されたＣＲＣコードＣ１をカートリッジメモリ２に記録し、その後そのＣＲＣコードＣ１をリライト（書換）不能な状態にするためにライトプロテクトする。メモリ側読取手段３５は、カートリッジメモリ２に記録されたＣＲＣコードＣ１を読み取り、これをＣＲＣコード比較手段３６に出力している。
【００２５】
ＣＲＣコード比較手段３６は、テープ側読取手段３３から出力されるＣＲＣコードＣ１とメモリ側読取手段３５から出力されるＣＲＣコードＣ１とを比較し、これらが一致しているか否かを示す比較信号を真正性判定手段３７に出力している。この真正性判定手段３７は、ＣＲＣコード比較手段３６からの比較信号が一致していることを示すものであればデータＤ１が改ざんされていないことを示す信号を外部コンピュータ４に出力し、その比較信号が一致していないことを示すものであればデータＤ１が改ざんされていることを示す信号を外部コンピュータ４に出力している。
【００２６】
次に、この記録再生装置３の動作について説明する。
まず、記録時においては、空の磁気テープカートリッジ１を記録再生装置３にセットして、外部コンピュータ４からデータＤ１，Ｄ２，・・・を順次入力していくと、ＣＲＣコード生成手段３１によりこれらのデータＤ１，Ｄ２，・・・からＣＲＣコードＣ１，Ｃ２，・・・が生成される。そして、テープ側記録手段３２によりデータＤ１，Ｄ２，・・・とそのＣＲＣコードＣ１，Ｃ２，・・・が順次磁気テープＭＴに記録されるとともに、メモリ側記録手段３４によりＣＲＣコードＣ１がカートリッジメモリ２に記録される。このカートリッジメモリ２に記録されたＣＲＣコードＣ１は、メモリ側記録手段３４により記録完了後にライトプロテクトのフラグが立てられて、リライトが不能な状態となる。
【００２７】
再生時においては、テープ側読取手段３３により磁気テープＭＴからデータＤ１とＣＲＣコードＣ１が読み取られ、そのうちＣＲＣコードＣ１のみがＣＲＣコード比較手段３６に出力される。また、メモリ側読取手段３５によりカートリッジメモリ２からＣＲＣコードＣ１が読み取られ、これがＣＲＣコード比較手段３６に出力される。そして、このＣＲＣコード比較手段３６によりデータＤ１のＣＲＣコードＣ１とカートリッジメモリ２に記録されたＣＲＣコードＣ１が比較され、真正性判定手段３７によりその比較結果に基づいた判定結果が外部コンピュータ４に出力される。
【００２８】
ここで、仮にデータＤ１が改ざんされた場合は、この改ざんされたデータＤ１に基づいて生成されるＣＲＣコードＣ１’が改ざん前の値と異なるものとなる。
そのため、ＣＲＣコード比較手段３６と真正性判定手段３７によって改ざん後のＣＲＣコードＣ１’とカートリッジメモリ２のＣＲＣコードＣ１が一致しないことが確認され、データＤ１が改ざんされたことを知ることができる。
【００２９】
以上によれば、第１の実施形態において次のような効果を得ることができる。
記録再生装置３で磁気テープカートリッジ１を再生するだけで、カートリッジメモリ２にリライト不能に記録されたＣＲＣコードＣ１と、磁気テープＭＴに記録されたデータＤ１のＣＲＣコードＣ１とが比較され、磁気テープＭＴに記録されたデータＤ１が改ざんされたか否かを確認できるので、データの真正性を簡便に証明することができる。
【００３０】
〔第２の実施形態〕
以下に、本発明に係る記録媒体カートリッジおよびその記録再生装置における第２の実施形態について説明する。この実施形態は第１の実施形態のカートリッジメモリ２に記録するＣＲＣコードを変更したものなので、第１の実施形態と同様の構成要素については同一符号を付し、その説明を省略する。
【００３１】
図４に示すように、カートリッジメモリ２には、磁気テープＭＴに記録されたデータＤ１のＣＲＣコードＣ１と、このデータＤ１のＬＰＯＳ（スタート部Ｌ１，エンド部Ｌ２）とに基づいて生成されるＣＲＣコードＣ２１がリライト不能な状態で記録されている。また、記録再生装置５は、第１の実施形態と略同様な機能を有するテープ側記録手段５２、メモリ側記録手段５４、メモリ側読取手段５５、ＣＲＣコード比較手段５６および真正性判定手段５７を備えるとともに、第１の実施形態とは多少機能の異なるＣＲＣコード生成手段５１およびテープ側読取手段５３を備えている。
【００３２】
ＣＲＣコード生成手段５１は、第１の実施形態と同様にデータＤ１からＣＲＣコードＣ１を生成するとともに、カートリッジメモリ２に記録するためのＣＲＣコードＣ２１をテープ側読取手段５３から出力されるＣＲＣコードＣ１とＬＰＯＳ（Ｌ１，Ｌ２）とに基づいて生成している。また、このＣＲＣコード生成手段５１は、磁気テープカートリッジ１の再生時にＣＲＣコード比較手段５６に出力するためのＣＲＣコードＣ２１をテープ側読取手段５３から出力されるＣＲＣコードＣ１とＬＰＯＳ（Ｌ１，Ｌ２）とに基づいて生成している。たとえば、データＤ１のＣＲＣコードＣ１が「Ｅ７　３６　６４　５Ｃ」で、ＬＰＯＳのスタート部Ｌ１が「００　００　００　０１」で、エンド部Ｌ２が「００　００　００　０２」である場合は、「Ｅ７　３６　６４　５Ｃ　００　００　００　０１　００　００　００　０２」に基づいてＣＲＣコードＣ２１が生成され、その値は「Ｃ９　８４　７５　３６」となる。
【００３３】
そして、このＣＲＣコード生成手段５１で生成されたＣＲＣコードＣ２１は、磁気テープＭＴへのデータＤ１の記録時においてメモリ側記録手段５４に出力され、再生時においてＣＲＣコード比較手段５６に出力されるようになっている。
テープ側読取手段５３は、磁気テープＭＴに記録されたデータＤ１をそのＣＲＣコードＣ１とＬＰＯＳ（Ｌ１，Ｌ２）とともに読み取り、このうちＣＲＣコードＣ１とＬＰＯＳ（Ｌ１，Ｌ２）をＣＲＣコード生成手段５１に出力している。
【００３４】
次に、この記録再生装置５の動作について説明する。
まず、記録時においては、第１の実施形態と同様に外部コンピュータ４から入力されたデータＤ１，Ｄ２，・・・のＣＲＣコードＣ１，Ｃ２，・・・がＣＲＣコード生成手段５１で生成され、これらがテープ側記録手段５２により磁気テープＭＴに記録される。次に、磁気テープＭＴからＣＲＣコードＣ１とデータＤ１のＬＰＯＳ（Ｌ１，Ｌ２）がテープ側読取手段５３により読み取られ、ＣＲＣコード生成手段５１に出力される。このＣＲＣコード生成手段５１ではＣＲＣコードＣ１とＬＰＯＳ（Ｌ１，Ｌ２）とに基づいてＣＲＣコードＣ２１が生成され、このＣＲＣコードＣ２１はメモリ側記録手段５４を介してカートリッジメモリ２にリライト不能な状態で記録される。
【００３５】
再生時においては、テープ側読取手段５３により磁気テープＭＴからデータＤ１のＣＲＣコードＣ１とＬＰＯＳ（Ｌ１，Ｌ２）が読み取られ、これらがＣＲＣコード生成手段５１に出力される。このＣＲＣコード生成手段５１では、このＣＲＣコードＣ１とＬＰＯＳ（Ｌ１，Ｌ２）とに基づいてＣＲＣコードＣ２１が生成され、これがＣＲＣコード比較手段５６に出力されている。一方、メモリ側読取手段５５によりカートリッジメモリ２からＣＲＣコードＣ２１が読み取られ、これがＣＲＣコード比較手段５６に出力される。そして、このＣＲＣコード比較手段５６によりＣＲＣコード生成手段５１からのＣＲＣコードＣ２１とカートリッジメモリ２からのＣＲＣコードＣ２１とが比較され、真正性判定手段５７によりその比較結果に基づいた判定結果が外部コンピュータ４に出力される。
【００３６】
ここで、仮にデータＤ１が改ざんされた場合は、この改ざんされたデータＤ１に基づいて生成されるＣＲＣコードＣ１’とＬＰＯＳ（Ｌ１’，Ｌ２’）が改ざん前の値と異なるものとなる。そのため、ＣＲＣコード比較手段５６と真正性判定手段５７によって改ざん後のＣＲＣコードＣ２１’とカートリッジメモリ２からのＣＲＣコードＣ２１が一致しないことが確認され、データＤ１が改ざんされたことを確実に知ることができる。
【００３７】
以上によれば、第２の実施形態において次のような効果を得ることができる。
カートリッジメモリ２に記録するＣＲＣコードＣ２１を生成するための基礎データの一つであるＬＰＯＳ（Ｌ１，Ｌ２）はデータＤ１が改ざんされると確実に変化するものなので、改ざんされたデータＤ１およびＬＰＯＳ（Ｌ１’，Ｌ２’）から生成されるＣＲＣコードＣ２１’とカートリッジメモリ２に記録されたＣＲＣコードＣ２１との違いがより明らかなものとなり、その真正性の信頼度をより高めることができる。
【００３８】
〔第３の実施形態〕
以下に、本発明に係る記録媒体カートリッジおよびその記録再生装置における第３の実施形態について説明する。この実施形態は第１の実施形態のカートリッジメモリ２に記録するＣＲＣコードを変更したものなので、第１の実施形態と同様の構成要素については同一符号を付し、その説明を省略する。
【００３９】
図５に示すように、カートリッジメモリ２には、そのシリアルナンバーＳと、このシリアルナンバーＳと磁気テープＭＴに記録されたデータＤ１のＣＲＣコードＣ１とに基づいて生成されるＣＲＣコードＣ３１がリライト不能な状態で記録されている。また、記録再生装置６は、第１の実施形態と略同様な機能を有するテープ側記録手段６２、メモリ側記録手段６４、ＣＲＣコード比較手段６６および真正性判定手段６７を備えるとともに、第１の実施形態とは多少機能の異なるＣＲＣコード生成手段６１、テープ側読取手段６３およびメモリ側読取手段６５を備えている。
【００４０】
ＣＲＣコード生成手段６１は、第１の実施形態と同様にデータＤ１からＣＲＣコードＣ１を生成するとともに、カートリッジメモリ２に記録するためのＣＲＣコードＣ３１をテープ側読取手段６３から出力されるＣＲＣコードＣ１とメモリ側読取手段６５から出力されるシリアルナンバーＳとに基づいて生成している。また、このＣＲＣコード生成手段６１は、磁気テープカートリッジ１の再生時にＣＲＣコード比較手段６６に出力するためのＣＲＣコードＣ３１をＣＲＣコードＣ１とシリアルナンバーＳとに基づいて生成している。たとえば、データＤ１のＣＲＣコードＣ１が「Ｅ７　３６　６４　５Ｃ」で、シリアルナンバーＳが「４４０００１２３ＨＥＸ」である場合は、「Ｅ７　３６　６４　５Ｃ　４４　００　０１　２３」に基づいてＣＲＣコードＣ３１が生成され、その値は「８１　ＥＢ　Ａ７　０１」となる。
【００４１】
そして、このＣＲＣコード生成手段６１で生成されたＣＲＣコードＣ３１は、磁気テープＭＴへのデータＤ１の記録時においてメモリ側記録手段６４に出力され、再生時においてＣＲＣコード比較手段６６に出力されるようになっている。
テープ側読取手段６３は、磁気テープＭＴのデータＤ１をそのＣＲＣコードＣ１とともに読み取り、このうちＣＲＣコードＣ１のみをＣＲＣコード生成手段６１に出力している。メモリ側読取手段６５は、カートリッジメモリ２からシリアルナンバーＳとＣＲＣコードＣ３１を読み取り、その後シリアルナンバーＳをＣＲＣコード生成手段６１に出力するとともに、ＣＲＣコードＣ３１をＣＲＣコード比較手段６６に出力している。
【００４２】
次に、この記録再生装置６の動作について説明する。
まず、記録時においては、第１の実施形態と同様に外部コンピュータ４から入力されたデータＤ１，Ｄ２，・・・のＣＲＣコードＣ１，Ｃ２，・・・がＣＲＣコード生成手段６１で生成され、これらがテープ側記録手段６２により磁気テープＭＴに記録される。次に、テープ側読取手段６３により磁気テープＭＴからＣＲＣコードＣ１が読み取られ、このＣＲＣコードＣ１がＣＲＣコード生成手段６１に出力される。一方、メモリ側読取手段６５によりカートリッジメモリ２からシリアルナンバーＳが読み取られ、このシリアルナンバーＳがＣＲＣコード生成手段６１に出力される。そして、このＣＲＣコード生成手段６１において、ＣＲＣコードＣ１とシリアルナンバーＳとに基づいてＣＲＣコードＣ３１が生成され、このＣＲＣコードＣ３１がメモリ側記録手段６４を介してカートリッジメモリ２にリライト不能な状態で記録される。
【００４３】
再生時においては、テープ側読取手段６３により読み取られたＣＲＣコードＣ１と、メモリ側読取手段６５により読み取られたシリアルナンバーＳとが前記記録時と同様にＣＲＣコード生成手段６１に出力される。このＣＲＣコード生成手段６１では、このＣＲＣコードＣ１とシリアルナンバーＳとに基づいてＣＲＣコードＣ３１が生成され、これがＣＲＣコード比較手段６６に出力されている。一方、メモリ側読取手段６５により読み取られたＣＲＣコードＣ３１がＣＲＣコード比較手段６６に出力される。そして、このＣＲＣコード比較手段６６によりＣＲＣコード生成手段６１からのＣＲＣコードＣ３１とカートリッジメモリ２からのＣＲＣコードＣ３１とが比較され、真正性判定手段６７によりその比較結果に基づいた判定結果が外部コンピュータ４に出力される。
【００４４】
ここで、仮にデータＤ１が改ざんされた場合は、第１の実施形態と同様にそのＣＲＣコードＣ１’が改ざん前の値と異なるものとなるので、ＣＲＣコード生成手段６１で生成されるＣＲＣコードＣ３１’とカートリッジメモリ２からのＣＲＣコードＣ３１が一致しないことが確認され、データＤ１の改ざんを知ることができる。
【００４５】
以上によれば、第３の実施形態において第１の実施形態と同様の効果を得ることができるとともに、次のような効果を得ることができる。
カートリッジメモリ２に記録されるＣＲＣコードＣ３１はシリアルナンバーＳを含んでいるため、これを記録再生装置６側に記憶させておくことでカートリッジメモリ２が交換された場合に対応することができる。たとえば、ＣＲＣコード比較手段６６によるＣＲＣコード生成手段６１からのＣＲＣコードＣ３１との比較前に記録再生装置６に記憶させたＣＲＣコードＣ３１とカートリッジメモリ２のＣＲＣコードＣ３１を比較させ、一致しなければカートリッジメモリ２が交換されたことが分かる。すなわち、このようにカートリッジメモリ２が交換されたことを改ざんされたこととみなすことで、カートリッジメモリ２が交換された場合においても、データＤ１の真正性を証明することができる。
【００４６】
以上、本発明は、前記実施形態に限定されることなく、様々な形態で実施される。
本実施形態では、ＣＲＣコードＣ１を記録再生装置３でカートリッジメモリ２に記録させたが、本発明はこれに限定されず、別の装置で予め記録しておいてもよい。すなわち、記録再生装置は少なくとも磁気テープからのＣＲＣコードとカートリッジメモリからのＣＲＣコードを比較して判定する機能を有していればよい。
本実施形態では、ＣＲＣコードＣ１を磁気テープＭＴに記録させたが、本発明はこれに限定されず、必ずしも磁気テープＭＴにＣＲＣコードＣ１を記録させておく必要はない。たとえば、第１の実施形態において磁気テープＭＴにデータＤ１，・・・のみを記録させておき、ＣＲＣコード比較手段３６での比較時に常にＣＲＣコード生成手段３１によりデータＤ１からＣＲＣコードＣ１を生成させ、これをＣＲＣコード比較手段３６に出力するようにしてもよい。
【００４７】
本実施形態では、記録媒体カートリッジとして磁気テープカートリッジ１を採用したが、本発明はこれに限定されず、カートリッジメモリを備えた記録媒体カートリッジであればどのようなものであってもよい。
本実施形態では、カートリッジメモリ２に記録するＣＲＣコードＣ１を一つとしたが、本発明はこれに限定されず、たとえばデータＤ２の真正性も証明したいときはそのＣＲＣコードＣ２をカートリッジメモリ２に記録してもよい。すなわち、カートリッジメモリ２に複数のＣＲＣコードを記録してもよい。
【００４８】
【発明の効果】
請求項１に記載の発明によれば、たとえば記録媒体カートリッジの再生時に、カートリッジメモリに書換不能に記録されたＣＲＣコードと、記録媒体に記録されたデータのＣＲＣコードとを比較するだけで、記録媒体に記録されたデータが改ざんされたか否かを確認できるので、データの真正性を簡便に証明することができる。
【００４９】
請求項２に記載の発明によれば、たとえば記録媒体カートリッジの再生時にカートリッジメモリに記録されたＣＲＣコードとデータ等から生成されるＣＲＣコードとを比較するだけでデータが改ざんされたか否かを確認できるので、データの真正性を簡便に証明することができる。また、カートリッジメモリに記録されるＣＲＣコードを生成するための基礎データの一つであるＬＰＯＳ（アドレス）はデータが改ざんされると確実に変化するものなので、データが改ざんされたときはＣＲＣコード同士の違いがより明らかなものとなり、その真正性の信頼度をより高めることができる。
【００５０】
請求項３に記載の発明によれば、たとえば記録媒体カートリッジの再生時にカートリッジメモリ側のＣＲＣコードとデータ等から生成されるＣＲＣコードとを比較するだけでデータが改ざんされたか否かを確認できるので、データの真正性を簡便に証明することができる。また、カートリッジメモリに記録されるＣＲＣコードを生成するための基礎データの一つであるシリアルナンバーはカートリッジメモリ毎に与えられる固有の番号なので、これを利用することでカートリッジメモリが交換された場合におけるデータの真正性を証明することができる。
【００５１】
請求項４〜請求項６に記載の発明によれば、記録再生装置で記録媒体カートリッジを再生するだけでデータが改ざんされたか否かが判定されるので、データの真正性を簡便に証明することができる。
【図面の簡単な説明】
【図１】本発明に係る磁気テープカートリッジの構造を示す要部拡大斜視図である。
【図２】図１の磁気テープに記録されるデータの構成を模式的に示す模式図である。
【図３】第１の実施形態に係る磁気テープカートリッジとその記録再生装置を模式的に示すブロック図である。
【図４】第２の実施形態に係る磁気テープカートリッジとその記録再生装置を模式的に示すブロック図である。
【図５】第３の実施形態に係る磁気テープカートリッジとその記録再生装置を模式的に示すブロック図である。
【符号の説明】
１　　　　　　磁気テープカートリッジ（記録媒体カートリッジ）
ＭＴ　　　　　磁気テープ（記録媒体）
２　　　　　　カートリッジメモリ
Ｄ１，Ｄ２　　データ
Ｃ１，Ｃ２　　ＣＲＣコード
Ｌ１　　　　　スタート部（ＬＰＯＳ）
Ｌ２　　　　　エンド部（ＬＰＯＳ）
Ｃ２１，Ｃ３１　　　　　　ＣＲＣコード
３，５，６　　　　　　　　記録再生装置
３１，５１，６１　　　　　ＣＲＣコード生成手段
３４，５４，６４　　　　　メモリ側記録手段（ＣＲＣコード記録手段）
３６，５６，６６　　　　　ＣＲＣコード比較手段
３７，５７，６７　　　　　真正性判定手段
Ｃ２１’，Ｃ３１’　　　　ＣＲＣコード
【図１】
2004087000.tif 000003
【図２】
2004087000.tif 000004
【図３】
2004087000.tif 000005
【図４】
2004087000.tif 000006
【図５】
2004087000.tif 000007